(57)【特許請求の範囲】
【請求項１】
ネットワークに接続された１以上の画像処理装置と、当該画像処理装置に画像処理ジョブを予約登録する機能を有する携帯情報端末を備えた画像処理システムであって、
前記携帯情報端末は、
ジョブを予約登録する画像処理装置の選択をユーザーより受付ける登録先受付手段と、
画像処理の実行条件を設定する条件設定画面を表示し、ユーザーによる設定入力を受付ける設定受付手段と、
前記条件設定画面より受付けた画像処理の実行条件に関する第１の情報、および前記画像処理の実行条件を受付けた際に表示されていた条件設定画面の構成に関する第２の情報を、前記登録先受付手段において選択された画像処理装置に送信する送信手段とを備え、
前記１以上の画像処理装置のそれぞれは、
ユーザーからの操作入力を受付ける操作パネルと、
前記携帯情報端末から送信されてくる前記第１の情報を受けて、画像処理ジョブを予約登録する予約登録手段と、
予約登録された画像処理ジョブの実行条件の設定内容を示すジョブ設定表示画面を、前記第２の情報に基づいて生成し、前記操作パネルに表示させる表示制御手段とを備えることを特徴とする画像処理システム。
【請求項２】
前記ネットワークに接続された画像処理装置が２以上あって、
前記携帯情報端末の登録先受付手段が、画像処理装置の複数選択を受付け可能であり、
画像処理装置が複数選択された場合は、前記送信手段が、選択された複数の画像処理装置に、前記第１の情報および第２の情報を送信する
ことを特徴とする請求項１に記載の画像処理システム。
【請求項３】
前記携帯情報端末において、前記登録先受付手段は、
使用可能な画像処理装置の情報を取得する装置情報取得手段と、
取得した使用可能な画像処理装置の情報に基づいて、画像処理装置を１または複数選択可能な装置選択画面を生成する第１の画面生成手段とを備え、
当該装置選択画面より選択された画像処理装置をジョブの予約登録先として受付ける構成となっており、
前記設定受付手段は、
予約登録先として選択された１または複数の画像処理装置において設定可能な画像処理の実行条件を取得する実行条件取得手段と、取得した実行条件に基づいて前記条件設定画面を生成する第２の画面生成手段とを有する
ことを特徴とする請求項１または２に記載の画像処理システム。
【請求項４】
前記装置選択画面において画像処理装置が複数選択された場合、
前記実行条件取得手段は、取得した実行条件が、当該各画像処理装置間で共通するものか否かを判定し、
前記第２の画面生成手段が、前記条件設定画面において、前記各画像処理装置間で共通する実行条件を優先的に配置することを特徴とする請求項３に記載の画像処理システム。
【請求項５】
前記条件設定画面において、前記各画像処理装置間で共通する実行条件は、第１のアイコンで表示され、それ以外の非共通の実行条件は、前記第１のアイコンとは色、形状、大きさのうち少なくとも１つが異なる第２のアイコンで表示される
ことを特徴とする請求項４に記載の画像処理システム。
【請求項６】
前記第２のアイコンが、表示のみで選択できないダミーのアイコンとなっている
ことを特徴とする請求項５に記載の画像処理システム。
【請求項７】
前記条件設定画面において、前記第１および第２のアイコンが表示されるアイコン表示領域は、スクロール可能に構成されており、
前記条件設定画面の初期状態では、前記第２のアイコンは表示されず、前記アイコン表示領域をスクロールすることにより表示される
ことを特徴とする請求項５に記載の画像処理システム。
【請求項８】
前記第２の情報に、前記携帯情報端末の前記条件設定画面を表示する入力パネルの画面解像度、および当該条件設定画面のレイアウト情報が含まれる
ことを特徴とする請求項１〜７のいずれかに記載の画像処理システム。
【請求項９】
前記条件設定画面のレイアウト構成は、所定の複数の画面解像度毎に、予め決められており、
前記携帯情報端末は、
自身が有する入力パネルの画面解像度に対応する、前記条件設定画面のレイアウト情報と、そのレイアウト識別情報とを記憶する第１記憶手段を備え、
前記設定受付手段が、前記第１記憶手段に記憶されたレイアウト情報に基づいて条件設定画面を生成し、かつ
前記第２の情報に、前記レイアウト識別情報が含まれており、
前記各画像処理装置は、
前記条件設定画面の所定の複数の画面解像度に対応する、前記レイアウト情報とそのレイアウト識別情報が記憶された第２記憶手段を備え、
前記表示制御手段が、前記第２の情報に含まれるレイアウト識別情報より、前記第２記憶手段に記憶されたレイアウト情報を取得し、取得したレイアウト情報に基づいて、前記ジョブ設定表示画面を生成する
ことを特徴とする請求項１〜７のいずれかに記載の画像処理システム。
【請求項１０】
前記第２の情報に、前記条件設定画面のレイアウト情報が含まれる
ことを特徴とする請求項１〜７のいずれかに記載の画像処理システム。
【請求項１１】
前記各画像処理装置において、同一の前記携帯情報端末より予約登録された、実行待ちの画像処理ジョブが複数ある場合に、
前記表示制御手段は、当該実行待ちの画像処理ジョブの実行条件を前記ジョブ設定表示画面に表示する際、実行条件の表示順序が各ジョブ間で等しくなるように、当該実行条件を所定の順に配置する
ことを特徴とする請求項１〜１０のいずれかに記載の画像処理システム。
【請求項１２】
前記所定の順は、前記実行待ちの画像処理ジョブのうち、予約登録が最新の画像処理ジョブの実行条件を設定したときに前記携帯情報端末から送信されてくる前記第２の情報に基づいて決定されることを特徴とする請求項１１に記載の画像処理システム。
【請求項１３】
前記各画像処理装置は、
前記予約登録手段により予約登録された画像処理ジョブを、前記操作パネルより選択するためのジョブ選択手段と、
当該ジョブ選択手段により選択された画像処理ジョブに対する、実行指示を受け付ける実行指示受付手段、および前記ジョブ設定表示画面での設定内容の表示指示を受け付ける表示指示受付手段とを備える
ことを特徴とする請求項１〜１２のいずれかに記載の画像処理システム。
【請求項１４】
前記各画像処理装置は、
前記表示制御手段により表示されたジョブ設定表示画面を介して、予約登録された画像処理ジョブの実行条件の設定変更を受付ける設定変更受付手段を備える
ことを特徴とする請求項１〜１３のいずれかに記載の画像処理システム。
【請求項１５】
前記各画像処理装置は、
前記予約登録された画像処理ジョブを実行させるジョブ実行手段と、
当該ジョブ実行手段によりジョブを実行する際、ジョブ実行の旨を、少なくとも前記登録先受付手段により選択された他の画像処理装置に通知する通知手段と、
他の画像処理装置からの前記通知を受信したとき、該当する予約登録の画像処理ジョブを削除する削除手段とを備える
ことを特徴とする請求項２〜１４に記載の画像処理システム。
【請求項１６】
前記ネットワークに、前記携帯情報端末と前記１以上の画像処理装置との間の通信を中継するサーバー装置がさらに接続されており、
前記携帯情報端末の送信手段は、前記サーバー装置に、前記第１および第２の情報とともに登録先の画像処理装置に関する第３の情報を送信するよう構成され、
前記サーバー装置は、前記第３の情報に基づいて登録先の画像処理装置に、前記第１および第２の情報を配信する配信手段を備える
ことを特徴とする請求項１〜１５に記載の画像処理システム。
【請求項１７】
携帯情報端末における画像処理の実行条件を設定する条件設定画面を介して受付けた実行条件に関する情報を受信して、画像処理ジョブを予約登録する機能を備える画像処理装置であって、
ユーザーからの操作入力を受付ける操作パネルと、
前記携帯情報端末より送信されてくる前記画像処理の実行条件に関する情報を受付けた際に前記携帯情報端末に表示されていた条件設定画面の構成に関する画面構成情報を受信する受信手段と、
当該画面構成情報に基づいて、予約登録した画像処理ジョブの実行条件の設定内容を示すジョブ設定表示画面を生成して、前記操作パネルに表示させる表示制御手段とを備えることを特徴とする画像処理装置。
【請求項１８】
同一の前記携帯情報端末より予約登録された、実行待ちの画像処理ジョブが複数ある場合に、
前記表示制御手段は、当該実行待ちの画像処理ジョブの実行条件を前記ジョブ設定表示画面に表示する際、実行条件の表示順序が各ジョブ間で等しくなるように、当該実行条件を所定の順に配置する
ことを特徴とする請求項１７に記載の画像処理装置。
【請求項１９】
ネットワークを介して送られてくる画像処理の実行条件に関する情報に基づいて画像処理ジョブを予約登録するとともに、予約登録した画像処理ジョブの実行条件の設定内容を示すジョブ設定表示画面を、ネットワークを介して送られてくる画面構成情報に基づいて生成し、操作パネルに表示する構成を備えた１以上の画像処理装置と、ネットワークを介して通信可能に接続される携帯情報端末であって、
ジョブを予約登録する画像処理装置の選択をユーザーより受付ける登録先受付手段と、
画像処理の実行条件を設定する条件設定画面を表示し、ユーザーによる設定入力を受付ける設定受付手段と、
前記条件設定画面より受付けた画像処理の実行条件に関する情報、および前記画像処理の実行条件を受付けた際に表示されていた条件設定画面の構成に関する画面構成情報を、ユーザーより選択された画像処理装置に送信する送信手段とを備えることを特徴とする携帯情報端末。
【請求項２０】
前記登録先受付手段は、
使用可能な画像処理装置の情報を取得する装置情報取得手段と、
取得した使用可能な画像処理装置の情報に基づいて、画像処理装置を１または複数選択可能な装置選択画面を生成する第１の画面生成手段とを備え、
当該装置選択画面より選択された画像処理装置をジョブの予約登録先として受付ける構成となっており、
前記設定受付手段は、
予約登録先として選択された１または複数の画像処理装置において設定可能な画像処理の実行条件を取得する実行条件取得手段と、取得した実行条件に基づいて前記条件設定画面を生成する第２の画面生成手段とを有し、
前記装置選択画面において画像処理装置が複数選択された場合、
前記実行条件取得手段は、取得した実行条件が、当該各画像処理装置間で共通するものか否かを判定し、
前記第２の画面生成手段が、前記条件設定画面において、前記各画像処理装置間で共通する実行条件を優先的に配置し、
前記条件設定画面において、前記各画像処理装置間で共通する実行条件は、第１のアイコンで表示され、それ以外の非共通の実行条件は、前記第１のアイコンとは色、形状、大きさのうち少なくとも１つが異なる第２のアイコンで表示され、
前記第１および第２のアイコンが表示されるアイコン表示領域は、スクロール可能に構成されており、
前記条件設定画面の初期状態では、前記第２のアイコンは表示されず、前記アイコン表示領域をスクロールすることにより表示されることを特徴とする請求項１９に記載の携帯情報端末。
【請求項２１】
前記画面構成情報に、前記携帯情報端末の前記条件設定画面を表示する入力パネルの画面解像度、および当該条件設定画面のレイアウト情報が含まれる
ことを特徴とする請求項１９または２０に記載の携帯情報端末。
【請求項２２】
前記条件設定画面のレイアウト構成は、所定の複数の画面解像度毎に、予め決められており、
前記携帯情報端末は、
自身が有する入力パネルの画面解像度に対応する、前記条件設定画面のレイアウト情報と、そのレイアウト識別情報とを記憶する第１記憶手段を備え、
前記設定受付手段が、前記第１記憶手段に記憶されたレイアウト情報に基づいて条件設定画面を生成し、かつ
前記画面構成情報に、前記レイアウト識別情報が含まれている
ことを特徴とする請求項１９または２０に記載の携帯情報端末。
【請求項２３】
前記画面構成情報に、前記条件設定画面のレイアウト情報が含まれる
ことを特徴とする請求項１９または２０に記載の携帯情報端末。
【請求項２４】
前記ネットワークに、前記携帯情報端末と前記１以上の画像処理装置との間の通信を中継するサーバー装置がさらに接続されており、
前記携帯情報端末の送信手段は、前記サーバー装置に、前記画像処理の実行条件に関する情報および前記画面構成情報とともに登録先の画像処理装置に関する第３の情報を送信するよう構成され、
前記サーバー装置は、前記第３の情報に基づいて登録先の画像処理装置に、前記画像処理の実行条件に関する情報および前記画面構成情報を配信する配信手段を備える
ことを特徴とする請求項１９〜２３のいずれか１項に記載の携帯情報端末。
【請求項２５】
ネットワークを介して送られてくる画像処理の実行条件に関する情報に基づいて画像処理ジョブを予約登録するとともに、予約登録した画像処理ジョブの実行条件の設定内容を示すジョブ設定表示画面を、ネットワークを介して送られてくる画面構成情報に基づいて生成し、操作パネルに表示する構成を備えた１以上の画像処理装置と、ネットワークを介して通信可能に接続される携帯情報端末のコンピューターに、
ジョブを予約登録する画像処理装置の選択をユーザーより受付ける登録先受付ステップと、
画像処理の実行条件を設定する条件設定画面を表示し、ユーザーによる設定入力を受付ける設定受付ステップと、
前記条件設定画面より受付けた画像処理の実行条件に関する情報、および前記画像処理の実行条件を受付けた際に表示されていた条件設定画面の構成に関する画面構成情報を、ユーザーより選択された画像処理装置に送信する送信ステップと、
を実行させるためのプログラム。
【請求項２６】
前記登録先受付ステップは、
使用可能な画像処理装置の情報を取得する装置情報取得ステップと、
取得した使用可能な画像処理装置の情報に基づいて、画像処理装置を１または複数選択可能な装置選択画面を生成する第１の画面生成ステップとを含み、
当該装置選択画面より選択された画像処理装置をジョブの予約登録先として受付け、
前記設定受付ステップは、
予約登録先として選択された１または複数の画像処理装置において設定可能な画像処理の実行条件を取得する実行条件取得ステップと、取得した実行条件に基づいて前記条件設定画面を生成する第２の画面生成ステップとを含み、
前記装置選択画面において画像処理装置が複数選択された場合、
前記実行条件取得ステップは、取得した実行条件が、当該各画像処理装置間で共通するものか否かを判定し、
前記第２の画面生成ステップが、前記条件設定画面において、前記各画像処理装置間で共通する実行条件を優先的に配置し、
前記条件設定画面において、前記各画像処理装置間で共通する実行条件は、第１のアイコンで表示され、それ以外の非共通の実行条件は、前記第１のアイコンとは色、形状、大きさのうち少なくとも１つが異なる第２のアイコンで表示され、
前記第１および第２のアイコンが表示されるアイコン表示領域は、スクロール可能に構成されており、
前記条件設定画面の初期状態では、前記第２のアイコンは表示されず、前記アイコン表示領域をスクロールすることにより表示されることを特徴とする請求項２５に記載のプログラム。
【請求項２７】
前記画面構成情報に、前記携帯情報端末の前記条件設定画面を表示する入力パネルの画面解像度、および当該条件設定画面のレイアウト情報が含まれる
ことを特徴とする請求項２５または２６に記載のプログラム。
【請求項２８】
前記条件設定画面のレイアウト構成は、所定の複数の画面解像度毎に、予め決められており、
前記携帯情報端末は、
自身が有する入力パネルの画面解像度に対応する、前記条件設定画面のレイアウト情報と、そのレイアウト識別情報とを記憶する第１記憶手段を備え、
前記設定受付ステップは、前記第１記憶手段に記憶されたレイアウト情報に基づいて条件設定画面を生成し、かつ前記画面構成情報に、前記レイアウト識別情報が含まれていることを特徴とする請求項２５または２６に記載のプログラム。
【請求項２９】
前記画面構成情報に、前記条件設定画面のレイアウト情報が含まれる
ことを特徴とする請求項２５または２６に記載のプログラム。
【請求項３０】
前記ネットワークに、前記携帯情報端末と前記１以上の画像処理装置との間の通信を中継するサーバー装置がさらに接続されており、
前記送信ステップは、前記サーバー装置に、前記画像処理の実行条件に関する情報および前記画面構成情報とともに登録先の画像処理装置に関する情報を送信することを特徴とする請求項２５〜２９のいずれか１項に記載のプログラム。
【請求項３１】
携帯情報端末における画像処理の実行条件を設定する条件設定画面を介して受付けた実行条件に関する情報を受信して、画像処理ジョブを予約登録する機能を備えるとともにユーザーからの操作入力を受付ける操作パネルを備える画像処理装置のコンピューターに、
前記携帯情報端末より送信されてくる前記画像処理の実行条件に関する情報を受付けた際に前記携帯情報端末に表示されていた条件設定画面の構成に関する画面構成情報を受信する受信ステップと、
当該画面構成情報に基づいて、予約登録した画像処理ジョブの実行条件の設定内容を示すジョブ設定表示画面を生成して、前記操作パネルに表示させる表示制御ステップと、
を実行させるためのプログラム。
【請求項３２】
同一の前記携帯情報端末より予約登録された、実行待ちの画像処理ジョブが複数ある場合に、
前記表示制御ステップは、当該実行待ちの画像処理ジョブの実行条件を前記ジョブ設定表示画面に表示する際、実行条件の表示順序が各ジョブ間で等しくなるように、当該実行条件を所定の順に配置する
ことを特徴とする請求項３１に記載のプログラム。
【発明の詳細な説明】
【技術分野】
【０００１】
本発明は、スマートフォンなどの携帯情報端末から、画像処理装置に、コピーやスキャンなどのジョブの予約登録が可能な画像処理システムに関し、特に、予約登録されたジョブの実行条件を表示する画像処理装置の操作パネルの操作性の向上に関する。
【背景技術】
【０００２】
複写機などの画像処理装置は、通常、コピーやスキャン等のジョブを実行する際の実行条件（例えば、用紙サイズや、カラー／モノクロ、倍率など）を設定するための操作パネルを備えている。このような画像処理装置では、操作パネルを一人のユーザーが操作している間は、他のユーザーは使用することができないため、操作が長引くと、その分他のユーザーの待ち時間が長くなる。
【０００３】
そこで、待ち時間の短縮化を図るため、操作パネルの代りに、画像処理装置に通信可能に接続された外部端末装置を用いて、コピーやスキャンなどのジョブの実行条件を予め設定できるようにした画像処理システムが提案されている（例えば、特許文献１）。
かかる画像処理システムでは、ユーザーは、外部端末装置よりジョブの実行条件を予め設定し、画像処理装置に対し、設定した実行条件のジョブを予約登録することができ、かつ予約登録したジョブを、画像処理装置の操作パネルから実行させることができるように構成されている。これにより、操作パネルでのユーザー操作を削減できるので、操作に起因する待ち時間の短縮を図ることができる。
【０００４】
また、近年、広く普及しつつある、スマートフォンなどの多機能携帯電話や、ＰＤＡ、タブレット端末などの小型の携帯情報端末を、上記画像処理システムにおける外部端末装置として使用すれば、どこにいてもジョブの予約登録ができるので大変便利である。
【先行技術文献】
【特許文献】
【０００５】
【特許文献１】特開２００９−１８８９４０号公報
【発明の概要】
【発明が解決しようとする課題】
【０００６】
ところで、小型の携帯情報端末の場合、操作する液晶パネルのサイズが小さいので、当該サイズに応じて個別に画面レイアウトが設計されるのが一般的である。このため、上記従来の画像処理システムでは、ジョブの実行条件を設定する画面のレイアウトが、携帯情報端末と画像処理装置の操作パネルとで相違し、その結果、ユーザーが操作パネルに予約登録されたジョブの設定内容を表示して確認する場合に、画面レイアウトの違いにより操作に戸惑い、操作性が低下するという問題が生じる。
【０００７】
本発明は、上述のような問題に鑑みてなされたものであって、携帯情報端末から画像形成装置に予約登録したジョブの設定内容を、操作パネルに表示して確認する際の操作性を従来よりも向上させることができる画像処理システム、画像処理装置および携帯情報端末を提供することを目的とする。
【課題を解決するための手段】
【０００８】
上記目的を達成するため、本発明に係る画像処理システムは、ネットワークに接続された１以上の画像処理装置と、当該画像処理装置に画像処理ジョブを予約登録する機能を有する携帯情報端末を備えた画像処理システムであって、前記携帯情報端末は、ジョブを予約登録する画像処理装置の選択をユーザーより受付ける登録先受付手段と、画像処理の実行条件を設定する条件設定画面を表示し、ユーザーによる設定入力を受付ける設定受付手段と、前記条件設定画面より受付けた画像処理の実行条件に関する第１の情報、および前記画像処理の実行条件を受付けた際に表示されていた条件設定画面の構成に関する第２の情報を、前記登録先受付手段において選択された画像処理装置に送信する送信手段とを備え、前記１以上の画像処理装置のそれぞれは、ユーザーからの操作入力を受付ける操作パネルと、前記携帯情報端末から送信されてくる前記第１の情報を受けて、画像処理ジョブを予約登録する予約登録手段と、予約登録された画像処理ジョブの実行条件の設定内容を示すジョブ設定表示画面を、前記第２の情報に基づいて生成し、前記操作パネルに表示させる表示制御手段とを備えることを特徴とする。
【０００９】
ここで、前記ネットワークに接続された画像処理装置が２以上あって、前記携帯情報端末の登録先受付手段が、画像処理装置の複数選択を受付け可能であり、画像処理装置が複数選択された場合は、前記送信手段が、選択された複数の画像処理装置に、前記第１の情報および第２の情報を送信する構成とするのが望ましい。
また、前記携帯情報端末において、前記登録先受付手段は、使用可能な画像処理装置の情報を取得する装置情報取得手段と、取得した使用可能な画像処理装置の情報に基づいて、画像処理装置を１または複数選択可能な装置選択画面を生成する第１の画面生成手段とを備え、当該装置選択画面より選択された画像処理装置をジョブの予約登録先として受付ける構成となっており、前記設定受付手段は、予約登録先として選択された１または複数の画像処理装置において設定可能な画像処理の実行条件を取得する実行条件取得手段と、取得した実行条件に基づいて前記条件設定画面を生成する第２の画面生成手段とを有する構成とするのが望ましい。
【００１０】
また、前記装置選択画面において画像処理装置が複数選択された場合、前記実行条件取得手段は、取得した実行条件が、当該各画像処理装置間で共通するものか否かを判定し、前記第２の画面生成手段が、前記条件設定画面において、前記各画像処理装置間で共通する実行条件を優先的に配置する構成とするのが望ましい。
さらに、前記条件設定画面において、前記各画像処理装置間で共通する実行条件は、第１のアイコンで表示され、それ以外の非共通の実行条件は、前記第１のアイコンとは色、形状、大きさのうち少なくとも１つが異なる第２のアイコンで表示される構成とするのが望ましい。
【００１１】
前記第２のアイコンが、表示のみで選択できないダミーのアイコンとなっている構成とするのが望ましい。
また、前記条件設定画面において、前記第１および第２のアイコンが表示されるアイコン表示領域は、スクロール可能に構成されており、前記条件設定画面の初期状態では、前記第２のアイコンは表示されず、前記アイコン表示領域をスクロールすることにより表示される構成とするのが望ましい。
【００１２】
前記第２の情報に、前記携帯情報端末の前記条件設定画面を表示する入力パネルの画面解像度、および当該条件設定画面のレイアウト情報が含まれる構成とするのが望ましい。
また、前記条件設定画面のレイアウト構成は、所定の複数の画面解像度毎に、予め決められており、前記携帯情報端末は、自身が有する入力パネルの画面解像度に対応する、前記条件設定画面のレイアウト情報と、そのレイアウト識別情報とを記憶する第１記憶手段を備え、前記設定受付手段が、前記第１記憶手段に記憶されたレイアウト情報に基づいて条件設定画面を生成し、かつ前記第２の情報に、前記レイアウト識別情報が含まれており、前記各画像処理装置は、前記条件設定画面の所定の複数の画面解像度に対応する、前記レイアウト情報とそのレイアウト識別情報が記憶された第２記憶手段を備え、前記表示制御手段が、前記第２の情報に含まれるレイアウト識別情報より、前記第２記憶手段に記憶されたレイアウト情報を取得し、取得したレイアウト情報に基づいて、前記ジョブ設定表示画面を生成する構成とするのが望ましい。
さらに、前記第２の情報に、前記条件設定画面のレイアウト情報が含まれるとするのが望ましい。
【００１３】
前記各画像処理装置において、同一の前記携帯情報端末より予約登録された、実行待ちの画像処理ジョブが複数ある場合に、前記表示制御手段は、当該実行待ちの画像処理ジョブの実行条件を前記ジョブ設定表示画面に表示する際、実行条件の表示順序が各ジョブ間で等しくなるように、当該実行条件を所定の順に配置する構成とするのが望ましい。
ここで、前記所定の順は、前記実行待ちの画像処理ジョブのうち、予約登録が最新の画像処理ジョブの実行条件を設定したときに前記携帯情報端末から送信されてくる前記第２の情報に基づいて決定される構成とするのが望ましい。
【００１４】
また、前記各画像処理装置は、前記予約登録手段により予約登録された画像処理ジョブを、前記操作パネルより選択するためのジョブ選択手段と、当該ジョブ選択手段により選択された画像処理ジョブに対する、実行指示を受け付ける実行指示受付手段、および前記ジョブ設定表示画面での設定内容の表示指示を受け付ける表示指示受付手段とを備える構成とすることができる。
【００１５】
また、前記各画像処理装置は、前記表示制御手段により表示されたジョブ設定表示画面を介して、予約登録された画像処理ジョブの実行条件の設定変更を受付ける設定変更受付手段を備える構成とすることができる。
さらに、前記各画像処理装置は、前記予約登録された画像処理ジョブを実行させるジョブ実行手段と、当該ジョブ実行手段によりジョブを実行する際、ジョブ実行の旨を、少なくとも前記登録先受付手段により選択された他の画像処理装置に通知する通知手段と、他の画像処理装置からの前記通知を受信したとき、該当する予約登録の画像処理ジョブを削除する削除手段とを備える構成とするのが望ましい。
【００１６】
ここで、前記ネットワークに、前記携帯情報端末と前記１以上の画像処理装置との間の通信を中継するサーバー装置がさらに接続されており、前記携帯情報端末の送信手段は、前記サーバー装置に、前記第１および第２の情報とともに登録先の画像処理装置に関する第３の情報を送信するよう構成され、前記サーバー装置は、前記第３の情報に基づいて登録先の画像処理装置に、前記第１および第２の情報を配信する配信手段を備える構成とすることもできる。
【００１７】
また、本発明に係る画像処理装置は、携帯情報端末における画像処理の実行条件を設定する条件設定画面を介して受付けた実行条件に関する情報を受信して、画像処理ジョブを予約登録する機能を備える画像処理装置であって、ユーザーからの操作入力を受付ける操作パネルと、前記携帯情報端末より送信されてくる前記画像処理の実行条件に関する情報を受付けた際に前記携帯情報端末に表示されていた条件設定画面の構成に関する画面構成情報を受信する受信手段と、当該画面構成情報に基づいて、予約登録した画像処理ジョブの実行条件の設定内容を示すジョブ設定表示画面を生成して、前記操作パネルに表示させる表示制御手段とを備えることを特徴とする。
ここで、同一の前記携帯情報端末より予約登録された、実行待ちの画像処理ジョブが複数ある場合に、前記表示制御手段は、当該実行待ちの画像処理ジョブの実行条件を前記ジョブ設定表示画面に表示する際、実行条件の表示順序が各ジョブ間で等しくなるように、当該実行条件を所定の順に配置する構成とするのが望ましい。
【００１８】
本発明に係る携帯情報端末は、ネットワークを介して送られてくる画像処理の実行条件に関する情報に基づいて画像処理ジョブを予約登録するとともに、予約登録した画像処理ジョブの実行条件の設定内容を示すジョブ設定表示画面を、ネットワークを介して送られてくる画面構成情報に基づいて生成し、操作パネルに表示する構成を備えた１以上の画像処理装置と、ネットワークを介して通信可能に接続される携帯情報端末であって、ジョブを予約登録する画像処理装置の選択をユーザーより受付ける登録先受付手段と、画像処理の実行条件を設定する条件設定画面を表示し、ユーザーによる設定入力を受付ける設定受付手段と、前記条件設定画面より受付けた画像処理の実行条件に関する情報、および前記画像処理の実行条件を受付けた際に表示されていた条件設定画面の構成に関する画面構成情報を、ユーザーより選択された画像処理装置に送信する送信手段とを備えることを特徴とする。
また、前記登録先受付手段は、使用可能な画像処理装置の情報を取得する装置情報取得手段と、取得した使用可能な画像処理装置の情報に基づいて、画像処理装置を１または複数選択可能な装置選択画面を生成する第１の画面生成手段とを備え、当該装置選択画面より選択された画像処理装置をジョブの予約登録先として受付ける構成となっており、前記設定受付手段は、予約登録先として選択された１または複数の画像処理装置において設定可能な画像処理の実行条件を取得する実行条件取得手段と、取得した実行条件に基づいて前記条件設定画面を生成する第２の画面生成手段とを有し、前記装置選択画面において画像処理装置が複数選択された場合、前記実行条件取得手段は、取得した実行条件が、当該各画像処理装置間で共通するものか否かを判定し、前記第２の画面生成手段が、前記条件設定画面において、前記各画像処理装置間で共通する実行条件を優先的に配置し、前記条件設定画面において、前記各画像処理装置間で共通する実行条件は、第１のアイコンで表示され、それ以外の非共通の実行条件は、前記第１のアイコンとは色、形状、大きさのうち少なくとも１つが異なる第２のアイコンで表示され、前記第１および第２のアイコンが表示されるアイコン表示領域は、スクロール可能に構成されており、前記条件設定画面の初期状態では、前記第２のアイコンは表示されず、前記アイコン表示領域をスクロールすることにより表示される構成とすることが望ましい。
前記画面構成情報に、前記携帯情報端末の前記条件設定画面を表示する入力パネルの画面解像度、および当該条件設定画面のレイアウト情報が含まれる構成とするのが望ましい。
また、前記条件設定画面のレイアウト構成は、所定の複数の画面解像度毎に、予め決められており、前記携帯情報端末は、自身が有する入力パネルの画面解像度に対応する、前記条件設定画面のレイアウト情報と、そのレイアウト識別情報とを記憶する第１記憶手段を備え、前記設定受付手段が、前記第１記憶手段に記憶されたレイアウト情報に基づいて条件設定画面を生成し、かつ前記画面構成情報に、前記レイアウト識別情報が含まれている構成とするのが望ましい。
また、前記画面構成情報に、前記条件設定画面のレイアウト情報が含まれる構成とするのが望ましい。
また、前記ネットワークに、前記携帯情報端末と前記１以上の画像処理装置との間の通信を中継するサーバー装置がさらに接続されており、前記携帯情報端末の送信手段は、前記サーバー装置に、前記画像処理の実行条件に関する情報および前記画面構成情報とともに登録先の画像処理装置に関する第３の情報を送信するよう構成され、前記サーバー装置は、前記第３の情報に基づいて登録先の画像処理装置に、前記画像処理の実行条件に関する情報および前記画面構成情報を配信する配信手段を備える構成とするのが望ましい。
本発明に係るプログラムは、ネットワークを介して送られてくる画像処理の実行条件に関する情報に基づいて画像処理ジョブを予約登録するとともに、予約登録した画像処理ジョブの実行条件の設定内容を示すジョブ設定表示画面を、ネットワークを介して送られてくる画面構成情報に基づいて生成し、操作パネルに表示する構成を備えた１以上の画像処理装置と、ネットワークを介して通信可能に接続される携帯情報端末のコンピューターに実行させるためのプログラムであって、ジョブを予約登録する画像処理装置の選択をユーザーより受付ける登録先受付ステップと、画像処理の実行条件を設定する条件設定画面を表示し、ユーザーによる設定入力を受付ける設定受付ステップと、前記条件設定画面より受付けた画像処理の実行条件に関する情報、および前記画像処理の実行条件を受付けた際に表示されていた条件設定画面の構成に関する画面構成情報を、ユーザーより選択された画像処理装置に送信する送信ステップと、を前記コンピューターに実行させることを特徴とする。
また、前記登録先受付ステップは、使用可能な画像処理装置の情報を取得する装置情報取得ステップと、取得した使用可能な画像処理装置の情報に基づいて、画像処理装置を１または複数選択可能な装置選択画面を生成する第１の画面生成ステップとを含み、当該装置選択画面より選択された画像処理装置をジョブの予約登録先として受付け、前記設定受付ステップは、予約登録先として選択された１または複数の画像処理装置において設定可能な画像処理の実行条件を取得する実行条件取得ステップと、取得した実行条件に基づいて前記条件設定画面を生成する第２の画面生成ステップとを含み、前記装置選択画面において画像処理装置が複数選択された場合、前記実行条件取得ステップは、取得した実行条件が、当該各画像処理装置間で共通するものか否かを判定し、前記第２の画面生成ステップが、前記条件設定画面において、前記各画像処理装置間で共通する実行条件を優先的に配置し、前記条件設定画面において、前記各画像処理装置間で共通する実行条件は、第１のアイコンで表示され、それ以外の非共通の実行条件は、前記第１のアイコンとは色、形状、大きさのうち少なくとも１つが異なる第２のアイコンで表示され、前記第１および第２のアイコンが表示されるアイコン表示領域は、スクロール可能に構成されており、前記条件設定画面の初期状態では、前記第２のアイコンは表示されず、前記アイコン表示領域をスクロールすることにより表示されるとするのが望ましい。
前記画面構成情報に、前記携帯情報端末の前記条件設定画面を表示する入力パネルの画面解像度、および当該条件設定画面のレイアウト情報が含まれるとするのが望ましい。
また、前記条件設定画面のレイアウト構成は、所定の複数の画面解像度毎に、予め決められており、前記携帯情報端末は、自身が有する入力パネルの画面解像度に対応する、前記条件設定画面のレイアウト情報と、そのレイアウト識別情報とを記憶する第１記憶手段を備え、前記設定受付ステップは、前記第１記憶手段に記憶されたレイアウト情報に基づいて条件設定画面を生成し、かつ前記画面構成情報に、前記レイアウト識別情報が含まれているとするのが望ましい。
また、前記画面構成情報に、前記条件設定画面のレイアウト情報が含まれるとするのが望ましい。
また、前記ネットワークに、前記携帯情報端末と前記１以上の画像処理装置との間の通信を中継するサーバー装置がさらに接続されており、前記送信ステップは、前記サーバー装置に、前記画像処理の実行条件に関する情報および前記画面構成情報とともに登録先の画像処理装置に関する情報を送信するとするのが望ましい。
本発明に係るプログラムは、携帯情報端末における画像処理の実行条件を設定する条件設定画面を介して受付けた実行条件に関する情報を受信して、画像処理ジョブを予約登録する機能を備えるとともにユーザーからの操作入力を受付ける操作パネルを備える画像処理装置のコンピューターに実行させるためのプログラムであって、前記携帯情報端末より送信されてくる前記画像処理の実行条件に関する情報を受付けた際に前記携帯情報端末に表示されていた条件設定画面の構成に関する画面構成情報を受信する受信ステップと、当該画面構成情報に基づいて、予約登録した画像処理ジョブの実行条件の設定内容を示すジョブ設定表示画面を生成して、前記操作パネルに表示させる表示制御ステップと、を前記コンピューターに実行させることを特徴とする。
また、同一の前記携帯情報端末より予約登録された、実行待ちの画像処理ジョブが複数ある場合に、前記表示制御ステップは、当該実行待ちの画像処理ジョブの実行条件を前記ジョブ設定表示画面に表示する際、実行条件の表示順序が各ジョブ間で等しくなるように、当該実行条件を所定の順に配置するとするのが望ましい。
【発明の効果】
【００１９】
上記構成の画像処理システムでは、携帯情報端末が、画像処理の実行条件に関する第１の情報に加え、条件設定画面の構成に関する第２の情報を画像処理装置に送信し、画像処理装置が、携帯情報端末から送信されてくる第２の情報に基づいてジョブ設定表示画面を生成し、操作パネルに表示する構成としている。これにより、操作パネルに表示するジョブ設定表示画面のレイアウトを、携帯情報端末の条件設定画面のレイアウトに合わせることができるので、ユーザーが、操作パネルよりジョブの設定内容を確認する際、操作に戸惑うようなことがなく、操作性を向上させることができる。
【図面の簡単な説明】
【００２０】
【図１】本発明の第１の実施の形態に係る画像処理システムの構成を示す概略図である。
【図２】画像処理システムを構成する、ＭＦＰ、管理サーバー、携帯端末の各制御構成を示すブロック図である。
【図３】（ａ）〜（ｅ）は、携帯端末によりジョブの予約登録を行う操作の概要について説明するための図である。
【図４】携帯端末より設定されたジョブの実行条件がＭＦＰに送信され、操作パネルの予約一覧に表示された画面の一例を示す図である。
【図５】操作パネルの、予約登録されたジョブの設定内容を表示する画面の一例を示す図である。
【図６】携帯端末の制御部による「ジョブの予約登録処理」の制御の一例を示すフローチャートである。
【図７】ＭＦＰ、管理サーバー、携帯端末間の通信シーケンス図である。
【図８】携帯端末の実行条件設定画面の生成方法について説明するための図である。
【図９】（ａ）、（ｂ）は、携帯端末のハードディスクに記憶されている、画面解像度および実行条件設定画面の画面構成情報の一例を示す図である。
【図１０】ＭＦＰの制御部による「ジョブの予約登録受付、実行処理」の制御の一例を示すフローチャートである。
【図１１】（ａ）、（ｂ）は、ＭＦＰのハードディスクに記憶される、予約ジョブ管理テーブルおよび画面構成管理テーブルの一例を示す図である。
【図１２】ＭＦＰの操作パネルに表示する予約ジョブ設定表示画面の生成方法について説明するための図である。
【図１３】第２の実施の形態に係る画像処理システムの概要を説明するための図である。
【図１４】（ａ）、（ｂ）は、携帯端末からジョブの予約登録先として２つ選択したときの画面例を示す図である。
【図１５】（ａ）、（ｂ）は、携帯端末からジョブの予約登録先として、使用できるＭＦＰ全てを選択したときの画面例を示す図である。
【図１６】第２の実施の形態における携帯端末の制御部による「ジョブの予約登録処理」の制御の一例を示すフローチャートである。
【図１７】（ａ）、（ｂ）は、実行条件判定テーブルの一例を示す図である。
【図１８】第２の実施の形態におけるＭＦＰの制御部による「ジョブの予約登録受付、実行処理」の制御の一例を示すフローチャートである。
【図１９】ＭＦＰ、管理サーバー間の通信シーケンス図である。
【図２０】変形例に係る携帯端末の、実行条件設定画面におけるアイコンの表示例を示す図である。
【図２１】変形例に係るＭＦＰの操作パネルにおける、予約ジョブ設定表示画面の実行条件の表示順序の一例を説明するための図である。
【図２２】変形例に係るＭＦＰの操作パネルの一例を説明するための図である。
【発明を実施するための形態】
【００２１】
（１）全体構成
以下、本発明に係る画像処理システムの第１の実施の形態について、図面を参照しながら説明する。
図１は、本実施の形態に係る画像処理システムの構成を示す概略図である。
同図に示すように、画像処理システム１は、画像処理装置としての複数の複合機（以下、「ＭＦＰ」という）１１〜１４、管理サーバー３、これらを接続するネットワーク（ＬＡＮ４）、携帯端末２などで構成されている。
【００２２】
ＭＦＰ１１は、主な構成要素として、プリンター部１０、給紙部２０、スキャナー部３０、操作パネル４０、制御部５０を備え、ＬＡＮ４を介して接続されるパソコンなどの外部端末（不図示）からのプリントジョブの実行指示を受付け、プリントを実行する機能を有する。また、コピー、スキャン、ファクスなどのジョブを実行する機能も有している。
スキャナー部３０は、原稿載置台３１上にセットされた原稿を１枚ずつ繰り出して搬送し、その原稿画像を読み取って画像データを生成する（スキャン）。
【００２３】
プリンター部１０は、スキャナー部３０で読み取った画像データや、外部端末からプリントジョブとともに送られてくる画像データに基づいて、給紙部２０から搬送されてくる記録シートに印刷する（コピー、プリント）。
給紙部２０は、給紙カセットに収容された記録シートを、一枚ずつ繰り出してプリンター部１０へとタイミングを計って搬送する。
【００２４】
操作パネル４０は、プリンター部１０上部の、ユーザーが操作しやすい位置に配され、ユーザーより、コピー、スキャン、ファクスなどのジョブを実行するときの実行条件の設定および実行指示を受付けるとともに、受付けたジョブの待ち状況および実行結果等を表示する。
制御部５０は、プリンター部１０、給紙部２０、スキャナー部３０、および操作パネル４０を統括的に制御する。
【００２５】
ＭＦＰ１２〜１４の基本的な構成は、ＭＦＰ１１とほぼ共通している。なお、ここでは、ＭＦＰ１１とＭＦＰ１３は、カラー画像に対応した複合機、ＭＦＰ１２とＭＦＰ１４は、モノクロ画像専用の複合機としている。
管理サーバー３は、ＭＦＰ１１〜１４のＬＡＮ４への接続状態を監視するとともに、無線通信（例えばBluetooth（登録商標））のアクセスポイントとしても機能する。
【００２６】
携帯端末２は、例えば、小サイズのタブレット型パーソナルコンピューターであり、管理サーバー３と無線接続して、管理サーバー３を介して各ＭＦＰ１１〜１４にデータ送信可能に構成されている。ユーザーは、携帯端末２から、ＭＦＰ１１〜１４に対し、プリントジョブを送信してプリントさせることができるとともに、ＭＦＰ１１〜１４でコピー、スキャン、ファクス等を行う際には、操作パネル４０の代わりに、ジョブの実行条件を設定する端末として使用することができる構成となっている。
【００２７】
各ＭＦＰ１１〜１４は、ユーザーが携帯端末２を用いて設定したジョブの実行条件を受け付けて登録する。以下、この登録のことをジョブの「予約登録」といい、予約登録されたジョブのことを「予約ジョブ」という。この後、各ＭＦＰ１１〜１４は、ユーザーよる操作パネル４０からの実行指示を待って、予約ジョブを実行させる。詳細については後述する。
（２）ＭＦＰ、管理サーバー、携帯端末の制御構成について
図２は、ＭＦＰ１１、管理サーバー３、携帯端末２の各制御構成を示すブロック図である。
【００２８】
まず、ＭＦＰ１１の各制御部５０は、ＣＰＵ（Central Processing Unit）５１、ＲＯＭ（Read Only Memory）５２、ＲＡＭ（Random Access Memory）５３、ハードディスク５４、通信Ｉ／Ｆ部５５などを備える。他のＭＦＰ１２〜１４も同様の構成である。
ＣＰＵ５１は、プリンター部１０、給紙部２０、スキャナー部３０、操作パネル４０を制御するためのプログラムを実行する。ＲＯＭ５２は、ＣＰＵ５１により実行される各種プログラム、およびＭＦＰの仕様（例えば、操作パネルの画面解像度や、設定可能な画像処理ジョブの実行条件など）を格納するストレージである。ＲＡＭ５３は、ＣＰＵ５１がプログラムを実行するときのワークエリアである。
【００２９】
ハードディスク５４は、例えば、予約ジョブの実行条件を格納する予約ジョブ管理テーブルＴ１、予約ジョブの設定内容（実行条件）を表示する画面の画面構成管理テーブルＴ２などを記憶する。
通信Ｉ／Ｆ部５５は、ＬＡＮに接続するためのインターフェースであり、ＬＡＮカードまたはＬＡＮボードならかなる。
【００３０】
操作パネル４０は、ハードキー部４１と、液晶表示部４２とを有する。
ハードキー部４１は、スタートボタン４１１、リセットボタン４１２および複数のテンキーなどからなる(図４参照)。液晶表示部４２は、バックライト４２３、ＬＣＤ（Liquid Crystal Display）パネル４２２、タッチパネル４２１が積層されてなるパネル部４２０などを備える。
【００３１】
管理サーバー３の制御部３００は、ＣＰＵ３０１、ＲＯＭ３０２、ＲＡＭ３０３、ハードディスク３０４、通信Ｉ／Ｆ部３０５などを備え、ネットワークを管理するとともに、ＭＦＰ１１〜１４間、および各ＭＦＰ１１〜１４と携帯端末２との間のデータ送受信を中継する機能を有する。
ＣＰＵ３０１は、ＭＦＰ１１〜１４のＬＡＮ４への接続状態を監視するための、例えばＰｉｎｇコマンドや、ＭＦＰ１１〜１４および携帯端末２との間のデータ転送のためのファイル転送プロトコルなどを実行する。
【００３２】
ＲＯＭ３０２は、ＣＰＵ３０１により実行されるコマンド、プロトコルおよび各種プログラムを格納するストレージである。ＲＡＭ３０３は、ＣＰＵ３０１がプログラムを実行するときのワークエリアである。ハードディスク３０４は、例えば、各ＭＦＰ１１〜１４から予め取得された、設定可能なジョブの実行条件情報ｉ１を記憶している。
通信Ｉ／Ｆ部３０５は、ＬＡＮ４と有線接続されるＬＡＮカード、ＬＡＮボードといった有線インターフェースと、携帯端末２と無線接続される、内蔵アンテナを有してなる無線インターフェース（ここではBluetoothインターフェース）を有する。
【００３３】
携帯端末２の制御部２００は、ＣＰＵ２０１、ＲＯＭ２０２、ＲＡＭ２０３、データ記憶部２０４、通信Ｉ／Ｆ部２０５などを備える。
ＣＰＵ２０１は、各ＭＦＰ１１〜１４で実行させる画像処理ジョブの実行時要件を設定するための画面を生成して、入力パネル２１０に表示するプログラムや、入力パネル２１０（タッチパネル式）を制御するためのプログラムを実行する。
【００３４】
ＲＯＭ２０２は、ＣＰＵ２０１により実行される各種プログラムを格納するストレージである。ＲＡＭ２０３は、ＣＰＵ２０１がプログラムを実行するときのワークエリアである。データ記憶部２０４は、不揮発性の記憶媒体（例えばＳＳＤ（Solid State Drive））であり、入力パネル２１０の画面解像度の情報ｉ２や、コピー、スキャン、ファクスなどのジョブの実行条件を設定する画面の画面構成情報ｉ３などを記憶する。
【００３５】
通信Ｉ／Ｆ部２０５は、管理サーバー３の制御部３００と無線通信するためのインターフェースであり、内部に電波を送受信するためのアンテナが内蔵されている。
入力パネル２１０は、バックライト２１３、ＬＣＤパネル２１２、タッチパネル２１１が積層されてなるパネル部などで構成されている。
（３）ジョブの予約登録の概要
図３（ａ）〜（ｅ）は、本実施の形態において、携帯端末によりジョブの予約登録を行う操作の概要について説明するための図である。
【００３６】
まず、ユーザーは、携帯端末２の入力パネル２１０に表示された、例えば、図３（ａ）に示す予約登録のメニュー画面２２０において、画像処理（コピー、スキャン、ファクス等）を指先でタップして選択する（ここでは、コピーが選択されている。）。
次に、図３（ｂ）に示すように、入力パネル２１０には、ＭＦＰ選択画面２２１が表示され、ユーザーは、この画面からジョブを予約登録するＭＦＰを選択する（ここでは、ＭＦＰ１１が選択されている。）。
【００３７】
ＭＦＰ選択画面２２１は、ユーザーに入力操作を促すメッセージなどを表示するメッセージ領域Ｒ１１、ＭＦＰ選択用のアイコン（ＭＦＰ１１〜１４を示すアイコンＤ１〜Ｄ４）を表示するアイコン領域Ｒ１２、選択したＭＦＰに決定するボタンＢ１、およびキャンセルするボタンＢ２が配されたボタン領域Ｒ１３などで構成されている。
予約登録先のＭＦＰを選択すると、次に、予約登録するジョブの実行条件を設定する画面２２２が入力パネル２１０に表示される（図３（ｃ））。
【００３８】
実行条件設定画面２２２は、メッセージ領域Ｒ２１、選択装置名を表示する領域Ｒ２２、予約番号を表示する領域Ｒ２３、実行条件の項目を示すアイコンを表示するアイコン領域Ｒ２４、ボタン領域Ｒ２５などで構成されている。
アイコン領域Ｒ２４は、左右方向にスクロール可能に構成されており、例えば、図３（ｄ）に示すように、原稿モード、用紙サイズ、カラー、倍率、片面／両面、集約、仕上げ、下地等を示すアイコンＪ１〜Ｊ８がこの順番にスクロールして表示される。
【００３９】
なお、アイコン領域Ｒ２４に表示されるジョブの実行条件の種類や順番は、予約登録するＭＦＰによって異なり、ここでは、当該予約登録するＭＦＰにおいて設定可能なジョブの実行条件情報ｉ１を取得し、取得結果に基づいて表示している（詳細については後述する）。ジョブの実行条件情報ｉ１には、設定可能な実行条件の種類とともに、表示順序を決定するための優先順位に関する情報（例えば、実行条件の種類が、優先度の高いものから並べられているなど）が含まれている。このような実行条件の優先順位は、例えば、実験または測定により得られたユーザーによる設定頻度などによって決定される。
【００４０】
また、実行条件は、階層構造になっていて、例えば、原稿モードの下位階層には、「文字」、「文字／写真」、「写真」の各モードがあり、用紙サイズの下位階層には、Ａ４縦サイズ、Ａ４横サイズ、Ａ５縦サイズ、Ａ５横サイズなどがある。以下、上位の項目を示すアイコンのことを「項目アイコン」と称し、実行条件として実際に設定する下位のアイコンのことを「設定アイコン」と称する。
【００４１】
ユーザーが、例えば、項目アイコンＪ２（用紙サイズ）を選択（タップ）すると、アイコン領域Ｒ２４には、Ａ４縦サイズ、Ａ４横サイズ、Ａ５縦サイズ、Ａ５横サイズを示す設定アイコンＪ２１〜Ｊ２４が表示される（図３（ｅ））。ここで、任意のサイズが選択（タップ）されると、その内容がメッセージ領域Ｒ２１に表示される。そして、ユーザーが決定ボタンＢ１をタップすれば、用紙サイズとして当該任意のサイズに決定され、アイコン領域Ｒ２４に、実行条件の上位階層となる項目アイコンＪ１〜Ｊ８を表示する画面に切り替えられる（図３（ｃ）参照）。
【００４２】
このようにして各実行条件を設定した後、図４に示すように、ユーザーが、決定ボタンＢ１を押すと、設定されたジョブの実行条件の情報が、管理サーバー３を介して（ＭＦＰ選択画面２２１で）選択されたＭＦＰ１１に送信され、ＭＦＰ１１は、送られてきた実行条件に基づいてジョブを予約登録する。
この後、ユーザーは、操作パネル４０（図４の拡大部分を参照）に表示された予約一覧４３１ａから予約ジョブを選択（タップ）して、スタートボタン４１１を押下することにより実行させることができる。
【００４３】
なお、ユーザーが、予約ジョブの設定内容を確認、または変更する場合、ジョブの予約一覧４３１ａから予約ジョブを選択後、詳細表示ボタン４３１ｂをさらにタップすることにより、予約ジョブ設定表示画面４３２を表示し（図５参照）、設定内容の確認や変更を行うことができる。
また、本実施の形態では、操作性を考慮して、この予約ジョブ設定表示画面４３２のレイアウトを、実行条件を設定したときの、携帯端末２のジョブの実行条件設定画面２２２のレイアウトに合わせている。これにより、ジョブの実行条件を設定したときの操作と同じように操作でき、ユーザーの操作性を向上させることができる。
【００４４】
以上、ＭＦＰ１１が選択された場合を例にして説明したが、ＭＦＰ１２〜１４が選択された場合にも、設定可能な実行条件の表示内容（種類、順番）を除いて同様である。
（４）携帯端末によるジョブの予約登録処理について
図６は、携帯端末２の制御部２００による「ジョブの予約登録処理」の制御の一例を示すフローチャートである。
【００４５】
制御部２００は、予約登録のメニュー画面２２０（図３（ａ））より、コピー、スキャン、ファクスのいずれかの選択を受け付けると（ステップＳ１０１）、まず、管理サーバー３から使用可能なＭＦＰの情報を取得する（ステップＳ１０２）。
すなわち、管理サーバー３は、図７の通信シーケンス図に示すように、ＭＦＰ１１〜１４に向けて、Ｐｉｎｇコマンドを所定の周期で送信し（Ｑ１）、ＬＡＮ４への接続状態を常時監視している。管理サーバー３は、応答信号（Ｑ２）の有無よって接続状態であるか否かにより、当該ＭＦＰが使用可能であるか否かを判定する。
【００４６】
そして、管理サーバー３は、携帯端末２から使用可能なＭＦＰの情報を要求された場合には（Ｑ３）、使用可能であると判定したＭＦＰの情報（例えば、ＩＰアドレスまたはネットワーク上のホスト名や、装置名、機種コード等）を携帯端末２に送信する（Ｑ４）。
図６に戻って、次に、制御部２００は、取得した使用可能なＭＦＰ情報に基づいて、ＭＦＰ選択画面２２１を生成し、入力パネル２１０に表示する（ステップＳ１０３）。具体的には、例えば、使用できないＭＦＰ（ＭＦＰ１１〜１４のいずれかで）がある場合、当該使用できないＭＦＰを示すアイコンをＭＦＰ選択画面２２１に表示しないか、表示しても選択できないダミーアイコンとする。
【００４７】
この後、ユーザーによりＭＦＰが選択されると（ステップＳ１０４：Ｙｅｓ）、選択されたＭＦＰの設定可能なジョブ実行条件の情報ｉ１を、管理サーバー３に対し要求し取得する（ステップＳ１０５）（図７のＱ５，Ｑ６参照）。
取得後、制御部２００は、ジョブ実行条件の情報ｉ１に基づいて、実行条件設定画面２２２を生成し、入力パネル２１０に表示する（ステップＳ１０６）。
【００４８】
ここでの画面の生成については、図８を参照しながら詳しく説明する。
図８に示すように、制御部２００のデータ記憶部２０４には、画面解像度の情報ｉ２と、実行条件設定画面２２２の画面構成情報ｉ３が記憶されている。
ここでの画面解像度は、入力パネル２１０に表示できる「総画素数」を意味しており、ここでは、例えば、９６０×５４０（縦×横）としている（図９（ａ）も参照）。携帯端末２では、この画面解像度の大きさに応じて、ユーザーの操作性を考慮して、実行条件設定画面２２２の構成（例えば、各領域Ｒ２１〜Ｒ２５のサイズや配置位置など）が決められており、画面構成情報ｉ３として記憶されている。
【００４９】
画面構成情報ｉ３は、図９（ｂ）に示すように、各表示領域のサイズや配置位置、およびアイコンのサイズや配置間隔などのレイアウト情報βと、そのレイアウト番号αなどで構成されている。
実行条件設定画面２２２の各領域Ｒ２１〜Ｒ２５は、この画面構成情報ｉ３に基づいて生成される。
【００５０】
なお、アイコン領域Ｒ２４に表示される実行条件のアイコンは、上述したように、管理サーバー３から取得されるジョブ実行条件情報ｉ１に基づいて生成され、かつ当該ジョブ実行条件情報ｉ１に含まれる優先順位に関する情報に基づいて表示される。
実行条件設定画面２２２の選択装置表示領域Ｒ２２には、上記ステップＳ１０４で選択されたＭＦＰの装置名（ＭＦＰ１１〜１４）を表示し、予約番号表示領域Ｒ２３には、予約番号（例えば、「携帯端末の装置名＋シーケンス番号」とする）を生成して表示する。ここでは、携帯端末２の装置名を「ＫＭ１」としている。
【００５１】
図６に戻って、ステップＳ１０７において、ユーザーにより、決定ボタンＢ１がタップされ、ジョブ実行条件の設定が完了したと判定されれば（Ｙｅｓ）、制御部２００は、予約番号含むジョブ実行条件の設定情報（第１の情報ｘ１）、設定画面の構成に関する情報（第２の情報ｘ２）、ジョブの予約登録先のＭＦＰの宛先情報（第３の情報ｘ３）を、管理サーバー３に送信する（ステップＳ１０８）（図７のＱ７参照）。送信後、リターンする。
【００５２】
ここでは、第２の情報ｘ２として画面のレイアウト番号α（図９（ｂ）参照。）を送信し、第３の情報ｘ３としてＩＰアドレスまたはホスト名を送信するようにしている。
以上で、携帯端末２による「ジョブの予約登録処理」を終了する。
この後、第１〜第３の情報ｘ１〜ｘ３を受信した管理サーバー３は、図７に示すように、第３の情報ｘ３に基づいて、ジョブの予約登録先のＭＦＰに、第１および第２の情報ｘ１，ｘ２を送信する（図７のＱ８）。
（５）ＭＦＰによるジョブの予約登録受付、実行処理について
図１０は、各ＭＦＰ１１〜１４の制御部５０による「ジョブの予約登録受付、実行処理」の制御の一例を示すフローチャートである。
【００５３】
この制御は、各ＭＦＰ１１〜１４において、全体を制御するメインフローチャート（不図示）のサブルーチンとして実施されるものである。
ここでは、ユーザーによりＭＦＰ１１が選択された場合を考える。
ＭＦＰ１１の制御部５０は、第１および第２の情報ｘ１，ｘ２を受信すると（ステップＳ２０１：Ｙｅｓ）、まず、第１の情報ｘ１に基づいて画像処理ジョブを予約登録する（ステップＳ２０２）。
【００５４】
ここでの予約登録は、ハードディスク５４の予約ジョブ管理テーブルＴ１（図１１（ａ）参照）に、第１の情報ｘ１のジョブの予約番号および各実行条件をセットすることにより行う構成としている。また、予約ジョブ管理テーブルＴ１には、予約ジョブの設定内容を表示する画面の構成情報欄ｔ１１が設けられており、当該欄ｔ１１に、第２の情報ｘ２（本実施の形態では、画面のレイアウト番号α）を格納する。
【００５５】
次いで、制御部５０は、こうして予約登録したジョブを、操作パネル４０のジョブの予約一覧４３１ａに表示する（ステップＳ２０３）。
この後、ユーザーにより、原稿が原稿載置台３１上にセットされ、ジョブの予約一覧４３１ａから、予約ジョブ（例えばコピージョブ）が選択（タップ）された後（ステップＳ２０４：Ｙｅｓ）、操作パネル４０のスタートボタン４１１が押下されると（ステップＳ２０５：Ｙｅｓ）、制御部５０は、選択された予約ジョブを実行する（ステップＳ２１２）。これにより、原稿載置台３１上にセットされた原稿が１枚ずつ繰り出されて、原稿画像が読み取られ、記録シートに印刷（コピー）される。
【００５６】
この後、不図示のメインフローチャートにリターンする。
一方、上記ステップＳ２０４の後、ユーザーが詳細表示ボタン４３１ｂをタップした場合は（ステップＳ２０６：Ｙｅｓ）、まず、制御部５０は、予約ジョブ管理テーブルＴ１から、ジョブ実行条件とともに画面構成情報（ここでは、画面のレイアウト番号αのみ）を取得する（ステップＳ２０７）。
【００５７】
本実施の形態では、ここで取得した画面のレイアウト番号αから、さらに画面構成管理テーブルＴ２（図１１（ｂ）参照）に格納されたレイアウト情報βおよび画面解像度情報ｉ２など、具体的な画面の構成情報を取得する構成としている。画面構成管理テーブルＴ２から取得されたレイアウト情報βと、携帯端末２のデータ記憶部２０４に記憶された画面構成情報ｉ３のレイアウト情報βとは同じ内容となっている。
【００５８】
この画面構成管理テーブルＴ２には、画面解像度が異なる携帯端末にも対応するため、複数の画面解像度毎のレイアウト情報βと、そのレイアウト番号αとが格納されている。
次に、制御部５０は、こうして取得した画面構成情報（レイアウト情報βおよび画面解像度情報ｉ２）に基づいて、予約ジョブ設定表示画面４３２を、携帯端末２の実行条件設定画面２２２の画面レイアウトに合わせて生成し、予約ジョブの実行条件の設定内容を反映させて操作パネル４０に表示する（ステップＳ２０８）（図１２参照）。
【００５９】
この後、ユーザーにより、スタートボタン４１１が押下されれば（ステップＳ２０９：Ｙｅｓ）、予約ジョブ設定表示画面４３２に表示されたジョブの実行し（ステップＳ２１２）、不図示のメインフローチャートにリターンする。
一方、スタートボタン４１１が押下される前に（ステップＳ２０９：Ｎｏ）、予約ジョブ設定表示画面４３２より実行条件の変更を受け付ければ、（ステップＳ２１０：Ｙｅｓ）、予約ジョブの設定内容を更新する（ステップＳ２１１）。
【００６０】
以上で、携帯端末２による「ジョブの予約登録処理」を終了する。
上記構成の画像処理システム１では、携帯端末２が、画像処理ジョブの実行条件の設定情報（第１の情報ｘ１）とともに、実行条件設定画面２２２の構成に関する情報（第２の情報ｘ２）を、ＭＦＰ１１〜１４に送信し、ＭＦＰ１１〜１４が、第１の情報ｘ１に基づいて画像処理ジョブを予約登録し、かつ登録した予約ジョブの設定内容を表示する予約ジョブ設定表示画面４３２を、第２の情報ｘ２に基づいて生成する構成としている。
【００６１】
これにより、予約ジョブ設定表示画面４３２のレイアウトを、携帯端末２の実行条件設定画面２２２のレイアウトに合わせることができるので、ユーザーは、予約ジョブ設定表示画面４３２から実行条件の設定内容を変更する際、操作に戸惑うようなことがなくなり、操作性を向上させることができる。
本実施の形態では、携帯端末２の、タッチパネル式の入力パネル２１０と、図６のステップＳ１０４を実行するときの制御部２００とが、ジョブを予約登録する画像処理装置の選択をユーザーより受付ける登録先受付手段を構成している。また、携帯端末２の、入力パネル２１０と、図６のステップＳ１０７を実行するときの制御部２００とが、実行条件を設定する条件設定画面より、ユーザーによる設定入力を受付ける設定受付手段を構成している。携帯端末２の制御部２００が、図６のステップＳ１０８を実行するときに、第１の情報および第２の情報を、前記登録先受付手段において選択された画像処理装置に送信する送信手段として機能している。
【００６２】
また、携帯端末２の制御部２００は、図６のステップＳ１０２を実行するときに、使用可能な画像処理装置の情報を取得する装置情報取得手段として機能し、図６のステップＳ１０３を実行するときに、画像処理装置を選択する装置選択画面を生成する第１の画面生成手段として機能している。さらに携帯端末２の制御部２００は、図６のステップＳ１０５を実行するときに、予約登録先として選択された画像処理装置において設定可能な画像処理の実行条件を取得する実行条件取得手段として機能し、図６のステップＳ１０６を実行するときに、条件設定画面を生成する第２の画面生成手段として機能している。
【００６３】
ＭＦＰ１１〜１４の制御部５０が、図１０のステップＳ２０２を実行するときに、画像処理ジョブを予約登録する予約登録手段として機能している。また、ＭＦＰ１１〜１４の制御部５０が、図１０のステップＳ２０８を実行するときに、予約登録された画像処理ジョブの実行条件の設定内容を示すジョブ設定表示画面を、前記第２の情報に基づいて生成し、操作パネルに表示させる表示制御手段として機能している。
＜第２の実施の形態＞
（１）概要
第２の実施の形態の画像処理システムは、携帯端末からの画像処理ジョブの予約登録先として、ＭＦＰを複数選択可能に構成している点で、ＭＦＰを１つだけ選択する構成の第１の実施の形態とは相違する。
【００６４】
第１の実施の形態では、使用可能なＭＦＰが複数あったしても、ジョブの予約登録先は１つなので、予約登録したＭＦＰにおいて紙詰まりなどのトラブルが生じた場合、トラブルが解決するまで待つか、待てないときは別のＭＦＰに対して、ジョブを再登録しなければならないという問題がある。また、トラブルでなくても、大量に印刷処理がされている場合や、コピー、スキャン、ファクスをするユーザーが並んで待っている場合にも、予約したジョブを直ぐに実行することができないので、上記問題が生じる。
【００６５】
これに対し、本実施の形態では、ジョブの予約登録先を一度に複数選択できるので（図１３（ａ））、予約したジョブを一のＭＦＰで直ぐに実行できないとしても、選択した他のＭＦＰが実行可能な状態であれば再登録なしに実行させることができる（図１３（ｂ））。これにより、ジョブを再登録するユーザーの手間を省くことができるとともに、ユーザーの待ち時間を短縮することができる。
【００６６】
基本的なシステム構成等については、第１の実施の形態と同様であるので、同じ構成については、同じ符号で示し、その説明を省略する。
（２）予約登録先の複数選択について
本実施の形態では、例えば、図１４（ａ）に示すように、携帯端末２のＭＦＰ選択画面２２１において、ＭＦＰ１１，１３の２台（ともにカラー複合機）を選択したり、図１５（ａ）に示すように、ＭＦＰ１１〜１４の全ての選択が行えるよう構成されている。
【００６７】
ここでは、使用可能なＭＦＰの全てを一度に選択する全て選択アイコンＤ９が設けられており、全てを選択する場合の操作性をよくしている。なお、ユーザーは、ＭＦＰ１１〜１４のアイコンＤ１〜Ｄ４を１つずつ順にタップしていき、全てを選択しても構わない。
このように予約登録先のＭＦＰを複数選択した場合、選択したＭＦＰの機種が異なれば、ＭＦＰ間で設定可能なジョブの実行条件が異なる可能性が高くなる。
【００６８】
以下、選択した全てのＭＦＰにおいて設定可能な実行条件のことを、「共通する実行条件」といい、選択したＭＦＰのうち一部のＭＦＰにおいてのみ設定可能であって、共通していない実行条件のことを「非共通の実行条件」という。
仮に、実行条件設定画面２２２より、選択されたＭＦＰ間で非共通の実行条件の設定を可能にした場合、予約登録後においてジョブを実行させるＭＦＰによっては、当該非共通の実行条件が機能しないために、設定したつもりのユーザーが戸惑うおそれがある。
【００６９】
よって、実行条件設定画面２２２では、選択されたＭＦＰ間で非共通の実行条件については設定できないようにするのが望ましく、本実施の形態では、当該非共通の実行条件のアイコンを、表示のみにして、タップしても何も反応しない（機能しない）ダミーアイコンとする構成としている（図１４（ｂ）、図１５（ｂ）参照）。また、共通する実行条件のアイコンを、このダミーアイコンよりも優先的に（並び順の前の方に）配置することにより、ユーザーによる画面のスクロール操作を軽減し、実行条件の設定が容易に行えるよう構成している。また、ここでは、ダミーアイコンを識別し易いよう、アイコンの色を、共通する実行条件のアイコンの色と異ならせている（例えば、色をグレー系の無彩色にしたり、または色を薄くしたりする）。
【００７０】
図１４（ｂ）は、ＭＦＰ１１，１３の２台が選択された後の実行条件設定画面２２２を示す図であり、図１５（ｂ）は、ＭＦＰ１１〜１４の全ての選択された後の実行条件設定画面２２２を示す図である。
両図を比較参照すれば分かるように、例えば、カラーの印刷を指示するためのアイコンＪ３は、カラー複合機（ＭＦＰ１１，１３）だけが選択された図１４（ｂ）では、選択可能な項目アイコンとして表示されているのに対して、モノクロ複合機（ＭＦＰ１２，１４）が含まれる図１５（ｂ）では、ダミーアイコンとして表示され、かつ並び順が後ろの方に移動されている。
【００７１】
なお、ここで、非共通の実行条件をダミーアイコンとして表示するのは、予約ジョブを実行するＭＦＰによっては設定可能であるからであり、その旨ユーザーに通知する機能を果たしている。ジョブの予約登録後、ＭＦＰから実行する際、上記非共通の実行条件が設定可能なＭＦＰであれば、操作パネル４０より当該実行条件を設定することができる。
（３）携帯端末によるジョブの予約登録処理について
図１６は、本実施の形態における携帯端末２の制御部２００による「ジョブの予約登録処理」の制御の一例を示すフローチャートであり、主に、図６のフローチャートと異なる処理のみが示されている。なお、図６と同じ処理については、同じステップ番号を付し、説明を簡略化もしくは省略している。
【００７２】
本実施の形態では、図１６に示すように、ステップＳ１０５において、制御部２００は、選択されたＭＦＰの（ＭＦＰが複数選択されている場合は各ＭＦＰの）設定可能なジョブ実行条件の情報ｉ１を、管理サーバー３に対して要求し取得する。
次に、ＭＦＰが複数選択されている場合には（ステップＳ１１０：Ｙｅｓ）、制御部２００は、まず、ユーザーから受け付けたジョブの実行条件が、ＭＦＰ間で共通するか否かを判定する（ステップＳ１１１）。この判定は、管理サーバー３から取得した各ＭＦＰの設定可能なジョブ実行条件の情報ｉ１から、例えば、図１７（ａ）、（ｂ）に示すような実行条件判定テーブルＴ３を生成して行うことができる。
【００７３】
図１７（ａ）は、２つのＭＦＰ１１，１３が選択されたときの実行条件判定テーブルＴ３の例を示す図であり、図１７（ｂ）は、ＭＦＰ１１〜１４の全てが選択されたときの実行条件判定テーブルＴ３の例を示す図である。
ここでは、図１７（ａ）の実行条件判定テーブルＴ３を用いて、ＭＦＰ間で共通するか否かの判定手順について説明する。
【００７４】
同図に示すように、実行条件判定テーブルＴ３の縦の欄Ｌ１，Ｌ２には、実行条件が、例えばユーザーによる設定頻度などに基づいて予め決められた優先順位で上から順に記載されている。また、その横には、選択されたＭＦＰにおいて当該実行条件が設定可能か否かを示す欄ｔ３１，ｔ３２（ＭＦＰ１１，１３の欄）が設けられている。
制御部２００は、管理サーバー３からのジョブ実行条件の情報ｉ１に基づいて、ＭＦＰ１１，１３の各欄ｔ３１，ｔ３２に、該当する実行条件が設定可能であれば「○」、不可であれば「×」を登録する。
【００７５】
この結果、各欄ｔ３１，ｔ３２の両方で設定可能（「○」）となっている実行条件については、ＭＦＰ１１，１３間で共通していると判定して、共通機能欄Ｃ１に「○」を登録し、そうでない実行条件についてはＭＦＰ１１，１３間で共通していない（非共通）と判定し、共通機能欄Ｃ１に「×」を登録する。
さらに、制御部２００は、実行条件の項目Ｌ１については、下位階層の実行条件Ｌ２のうち共通するものが複数あれば、ＭＦＰ１１，１３間で設定可能な共通する実行条件の項目と判定し、共通項目欄Ｃ２に「○」を登録し、共通する実行条件が０または１つだけの場合には、選択の余地がなく設定変更ができないので、設定可能な共通する実行条件の項目とは判定せず、共通項目欄Ｃ２に「×」を登録する。
【００７６】
なお、倍率については、５０〜２００％の間で任意に設定できるので、共通項目欄Ｃ２に「○」を登録している。
ちなみに、図１７（ｂ）に示す、ＭＦＰ１１〜１４全てが選択されたときの実行条件判定テーブルＴ３では、モノクロ専用の複合機（ＭＦＰ１２，１４）が含まれるため、カラー印刷の実行条件が、ＭＦＰ１１〜１４間で共通していないと判定され、その共通機能欄Ｃ１および優先配置欄Ｃ２に「×」が登録されている。また、ＭＦＰ１２は、原稿モードの「文字／写真」、「写真」のモードを有していないため、当該各モードの共通機能欄Ｃ１に「×」が登録され、原稿モードの優先配置欄Ｃ２にも「×」が登録されている。
【００７７】
この後、制御部２００は、共通項目欄Ｃ２より、「○」がセットされた実行条件の項目を上から順に読出し、その後「×」がセットされた実行条件の項目を上から順に読出し、読み出した順を、実行条件の表示順序として決定する（ステップＳ１１２）。
一方、ＭＦＰが１つだけ選択されている場合には（ステップＳ１１０：Ｎｏ）、ＭＦＰ毎に、上述したようにして（例えばユーザーによる設定頻度などに基づいて）予め決められている実行条件の優先順位を、表示順序として決定する（ステップＳ１１３）。
【００７８】
こうして表示順序を決定した後、制御部２００は、ステップＳ１０６において、実行条件設定画面２２２のアイコン領域Ｒ２４に、実行条件の項目アイコンが、上記ステップＳ１１２で決定された表示順序で表示されるよう実行条件設定画面２２２を生成して、入力パネル２１０に表示する。なお、このとき、制御部２００は、上記ステップＳ１１１において共通していないと判定された実行条件については、ダミーアイコンを表示する。
【００７９】
この後、ユーザーによるジョブ実行条件の設定が完了すれば（ステップＳ１０７：Ｙｅｓ）、設定画面の構成に関する第２の情報ｘ２に実行条件の表示順序に関する情報を追加した上で、第１の情報ｘ１、第３の情報ｘ３とともに、管理サーバー３に送信する（ステップＳ１０８）。
（４）ＭＦＰにおける予約ジョブの設定内容の表示、および実行処理について
図１８は、本実施の形態における各ＭＦＰ１１〜１４の制御部５０による「ジョブの予約登録受付、実行処理」の制御の一例を示すフローチャートであり、主に、図１０のフローチャートと異なる処理のみが示されている。なお、図１０と同じ処理については、同じステップ番号を付し、説明を簡略化もしくは省略している。
【００８０】
本実施の形態では、第２の情報ｘ２に実行条件の表示順序が含まれ、予約ジョブ管理テーブルＴ１の画面構成情報を格納する欄ｔ１１（図１１（ａ）参照）には、画面のレイアウト番号αとともに、実行条件の表示順序が格納されるように構成されている。
そして、図１８のステップＳ２０６において、操作パネル４０の詳細表示ボタン４３１ｂがタップされると（ステップＳ２０６：Ｙｅｓ）、制御部５０は、予約ジョブ管理テーブルＴ１から、ジョブ実行条件とともに実行条件の表示順序を含む画面構成情報を取得し（ステップＳ２０７）、当該表示順序で実行条件の項目アイコンが表示されるよう予約ジョブ設定表示画面４３２を生成し、操作パネル４０に表示する（ステップＳ２０８）。
【００８１】
なお、携帯端末２の実行条件設定画面２２２において、ダミーアイコンで表示された実行条件であっても、ジョブが予約登録された個々のＭＦＰにおいて設定可能であれば、ユーザーが操作パネル４０から当該実行条件を設定できるよう、ダミーアイコンではなく設定可能なアイコンとして表示する。この場合、実行条件を示すアイコンの種類が変わることになるが、表示される順番は、携帯端末２の実行条件設定画面２２２と同じなので、特に、ユーザーが操作に戸惑うようなことはない。
【００８２】
操作パネル４０よりスタートボタン４１１を押下されると（ステップＳ２０５：Ｙｅｓ、ステップＳ２０９：Ｙｅｓ）、制御部５０は、予約ジョブを実行し（ステップＳ２１２）、予約ジョブを実行した旨の通知（予約番号含む）を管理サーバー３に送信する（テップＳ２１３）（図１９のＱ９参照）。この後、不図示のメインフローチャートにリターンする。
（５）管理サーバーの機能について
本実施の形態における管理サーバー３は、ハードディスク３０４に、携帯端末２から送られてくる第１〜第３の情報ｘ１〜ｘ３を格納して管理する送受信データ管理テーブルＴ４（不図示）を備えている。
【００８３】
図１９は、ユーザーからＭＦＰ１１〜１４に対し予約登録がなされ、実際にＭＦＰ１１で予約ジョブを実行した場合における、予約ジョブ実行後の、管理サーバー３と、各ＭＦＰ１１〜１４との間の通信を示すシーケンス図である。
同図に示すように、管理サーバー３の制御部３００は、ＭＦＰ１１から上記予約ジョブを実行した旨の通知を受信すると（図１９のＱ９）、まず、ハードディスク３０４の送受信データ管理テーブルＴ４から、当該通知内の予約番号を含む第１の情報ｘ１と一緒に受信した第３の情報ｘ３を読み出し、ジョブの予約登録先となるＭＦＰが複数あるか否か確認する（Ｑ１０）。本例では、ＭＦＰ１１〜１４に予約登録されているので、ステップＱ１０でＹｅｓと判定され、予約登録先のうち、予約ジョブを実行したＭＦＰ１１以外のＭＦＰ（ＭＦＰ１２〜１４）に対し、ＭＦＰ１１から受信した予約ジョブを実行した旨の通知を転送する（Ｑ１１）。
【００８４】
この通知を受信した他のＭＦＰ１２〜１４は、自装置内において、通知内の予約番号で登録されている予約ジョブを削除するように構成されている（Ｑ１２）（図１３（ｃ）も参照）。
これにより、ジョブの予約登録先を複数選択した場合に、ジョブを実行しなかったＭＦＰの予約ジョブをユーザーが削除する手間を省くことができる。
【００８５】
＜変形例＞
本発明は、上記実施の形態に限定されるものではなく、次のような変形例も考えることができる。
（１）上記実施の形態では、携帯端末２とＭＦＰ１１〜１４間における通信負荷を軽減するため、実行条件設定画面２２２の画面構成に関する情報（第２の情報ｘ２）として、レイアウト番号αのみを、ＭＦＰ１１〜１４に送信する構成を示したが、これに限定するものではない。
【００８６】
ネットワーク全体に与える通信負荷の影響が小さいと判断される場合には、例えば、レイアウト番号αに変えて、携帯端末２自身の画面解像度と、実行条件設定画面２２２を構成する各表示領域のサイズや配置位置、およびアイコンのサイズや配置間隔などのレイアウト情報βを送信する構成としても構わない。そうすれば、ＭＦＰ１１〜１４側で、多種な画面解像度に応じて、レイアウト情報βを記憶する必要もなく、あらゆる画面解像度の携帯端末における実行条件設定画面に対応させることが可能になる。
【００８７】
（２）第２の実施の形態では、携帯端末２の実行条件設定画面２２２において、ＭＦＰ間で非共通の実行条件のアイコンをダミーアイコンとし、かつ、共通する実行条件のアイコンよりも優先度を下げて、表示順序の後ろの方にした構成を示したがこれに限定するものではない。
例えば、非共通の実行条件については、画面にアイコンを表示しない構成としても構わない。
【００８８】
非共通の実行条件をダミーアイコンとして表示する場合、操作性、外観の観点より、望ましくは、実行条件設定画面２２２の操作前の状態（初期状態）では表示させないようにするのがよい。また、実行条件の表示順序は、ＭＦＰ間で共通するか否かに関わらず、変更しないで、非共通の実行条件をダミーアイコンとして表示するだけでも構わない。
さらに、第２の実施の形態では、ダミーアイコンを識別し易いようにするため、アイコンの色を、共通する実行条件のアイコンの色と異ならせた例を示したが、これに限定するものではない。
【００８９】
例えば、アイコンサイズを小さくする構成（図２０（ａ）のＪ５〜Ｊ７参照）、アイコンの形状を変える構成（図２０（ｂ）のＪ３参照）、または、アイコンに警告表示Ｍを重ねる構成（図２０（ｃ）のＪ３参照）とすることができる。
（３）第２の実施の形態では、ジョブの予約登録先の選び方（複数選択）によって携帯端末２に表示される実行条件のアイコンの順序が変わってしまう。
【００９０】
例えば、図２１（ａ）〜（ｃ）に示すように、予約登録先の１つとしてＭＦＰ１１を常に選択したとしても、一緒に選択するＭＦＰが異なれば（ＭＦＰ１２，ＭＦＰ１３またはＭＦＰ１４）、ＭＦＰ間で共通する実行条件も異なり（図１６参照）、その結果として、実行条件のアイコンの表示順序が変わってしまうのである。
このため、図２１（ａ）〜（ｃ）の各画面２２２から予約登録されたジョブを、登録先として共通するＭＦＰ１１の操作パネル４０から１つずつ選択して（図２１（ｄ）参照）、その設定内容を、実行条件を設定したときの画面構成（携帯端末２の）に基づいて生成される予約ジョブ設定表示画面４３２に順番に表示したとき、予約ジョブ間で実行条件の表示順序が異なっていて、ユーザーが操作に戸惑うおそれがある。
【００９１】
そこで、ユーザーが操作に戸惑うことがないよう、同じ携帯端末２を使って予約登録したジョブであれば、予約ジョブ設定表示画面４３２での実行条件の表示順序が等しくなるように構成しても構わない。
例えば、予約ジョブ設定表示画面４３２における実行条件の表示順序を、第１の実施の形態と同じように、ＭＦＰ毎に、予め決められた順序で表示する構成としてもよい。そうすれば、同じＭＦＰで予約ジョブを実行する場合は、予約登録先の選び方が異なるために、予約ジョブ設定表示画面４３２における実行条件の表示順序が異なることはなく、ユーザーが操作に戸惑うのを抑制できる。
【００９２】
また、表示順序を、予め決められた順序に固定せず、例えば、携帯端末２から登録された複数の予約ジョブのうち最新のジョブの実行条件を設定したときの携帯端末２の画面構成（実行条件の表示順序）に合わせる構成としても構わない（図２１（ｅ）参照）。
図２１（ｅ）には、予約ジョブ設定表示画面４３２の実行条件の表示順序が、予約登録が最新のジョブ（予約番号：ＫＭ１−００３）の実行条件を設定したときの画面２２２（図２１（ｃ））と同じ構成となっている例が示されている。
【００９３】
このようにすれば、予約ジョブ設定表示画面４３２での操作が、ユーザーの最新の操作（携帯端末２での実行条件の設定操作）と同様に行えるので、ユーザーは記憶に基づいて操作することができ、戸惑うことがない。
（４）上記実施の形態では、操作パネル４０に表示する予約ジョブ設定表示画面４３２のレイアウトを、携帯端末２の実行条件設定画面２２２のレイアウトに合わせて、一致させる構成を示したが（図４、図５参照）、必ずしも、両画面４３２，２２２のレイアウトが完全に一致しなくても構わない。
【００９４】
例えば、メッセージ領域Ｒ２１、選択装置表示領域Ｒ２２、予約番号表示領域Ｒ２３など、操作と直接関係のない領域については、ユーザーが各領域の情報を確認できればよく、各領域の配置位置が実行条件設定画面２２２と異なっていても構わない。
また、アイコン領域Ｒ２４においても、表示する実行条件のアイコンの大きさや形状を、ユーザーが戸惑わない程度であれば、実行条件設定画面２２２のアイコンと異ならせても構わない。
【００９５】
（５）上記実施の形態では、携帯端末２が管理サーバー３に対して、使用可能なＭＦＰの情報を要求し、ＩＰアドレスまたはネットワーク上のホスト名や、装置名、機種コード等を取得する構成を例示したが、これに限定するものではない。
使用可能なＭＦＰが特定できればよく、例えば、ホスト名だけでも構わない。また、Ｗｉｎｄｏｗｓネットワーク環境の場合には、ホスト名に変えて、コンピュータ名を使うこともできる。
【００９６】
（６）上記実施の形態では、携帯端末２が管理サーバー３にBluetooth接続された構成を示したが、これに限定するものではない。
例えば、携帯端末２をＬＡＮ４にＷｉ−Ｆｉで直接接続する構成としても構わない。
この場合、携帯端末２が、管理サーバー３を介さずに、各ＭＦＰ１１〜１４と直接通信しても構わない。具体的には、携帯端末２が各ＭＦＰ１１〜１４に対してＰｉｎｇコマンドを送信して、使用可能なＭＦＰを確認してもよく、また、各ＭＦＰ１１〜１４から設定可能な実行条件に関する情報を直接取得したり、ＬＡＮ４がインターネットに接続されている場合は、使用可能なＭＦＰの機種情報をもとに、インターネットから設定可能な実行条件に関する情報を取得しても構わない。さらに、携帯端末２から、各ＭＦＰ１１〜１４に対して、データを直接送信するよう構成しても構わない。
【００９７】
（７）上記実施の形態では、携帯端末２とＭＦＰ１１〜１４との間に、データを中継する管理サーバー３を設けた構成を示したが、これに限定するものではなく、管理サーバー３を設けない構成としても構わない。
例えば、携帯端末２が、各ＭＦＰ１１〜１４と直接通信し、使用可能な状態であるか否かの監視や、予約登録先として選択したＭＦＰから設定可能な実行条件を取得したり、設定したジョブ実行条件の情報（第１の情報ｘ１）および設定画面の構成に関する情報（第２の情報ｘ２）を選択したＭＦＰに送信するよう構成することもできる。
【００９８】
また、管理サーバー３の機能（ＭＦＰのＬＡＮ接続状態の監視、データの中継等）を、各ＭＦＰ１１〜１４のうちのいずれかのＭＦＰに割り当てても構わない。例えば、管理サーバー３の機能を、ＭＦＰ１１に割り当てた場合、携帯端末２は、使用可能なＭＦＰの情報や、予約登録先として選択したＭＦＰの設定可能な実行条件をＭＦＰ１１より取得するとともに、設定したジョブ実行条件の情報（第１の情報ｘ１）および設定画面の構成に関する情報（第２の情報ｘ２）を、ＭＦＰ１１を介して、選択したＭＦＰに送信する構成となる。
【００９９】
（８）上記実施の形態では、携帯端末２より、ジョブの予約登録先を選択した後、選択されたＭＦＰの設定可能な実行条件に関する情報を取得する構成を示したが、これに限定するものではない。
例えば、予め、使用可能な全てのＭＦＰにおいて、設定可能な実行条件に関する情報を取得し、データ記憶部２０４に格納しておく構成としてもよく、この場合、予約登録先の選択後に取得する場合と比べて、実行条件設定画面２２２の表示速度を向上させることができる。
【０１００】
（９）第２の実施の形態では、ジョブの予約登録先のＭＦＰが複数の場合、当該予約ジョブが一のＭＦＰで実行されたときに、残りの予約登録先に、予約ジョブが実行された旨を通知する構成を示したが、これに限定するものではない。
例えば、予約登録先に限定せず、使用可能なＭＦＰ全てに対し、予約ジョブが実行された旨を通知する構成としても構わない。予約登録先となっていないＭＦＰは、当該通知を無視すればよい。このようにすれば、管理サーバー３において、予約登録先となっていて上記通知が必要なＭＦＰと、そうでないＭＦＰとを区別する必要がないので、携帯端末２から受信して各ＭＦＰ１１〜１４に送信するデータを、上述の送受信データ管理テーブルＴ４（不図示）に格納して管理しなくてもよくなり、管理サーバー３の負荷を軽減することができる。
【０１０１】
（１０）第２の実施の形態では、ＭＦＰの「ジョブの予約登録受付、実行処理」（図１８参照）において、予約ジョブを実行後（ステップＳ２１２）、予約ジョブを実行した旨の通知（予約番号含む）を管理サーバー３に送信する（テップＳ２１３）構成を示したが、これに限定するものではない。
例えば、予約ジョブの実行の通知を、予約ジョブの実行開始前に送信する構成、または、予約ジョブの実行途中で、通知する構成としても構わない。
【０１０２】
なお、上記実施の形態のように、予約ジョブの実行完了後にその旨を通知する構成であれば、予約ジョブの実行中、ＭＦＰに何らかのトラブル（例えばトナー切れなど）が生じた場合、ユーザーは、予約ジョブが登録された他のＭＦＰより、ジョブを再度実行させることができるという利点がある。
（１１）上記実施の形態において、特に説明しなかったが、操作パネル４０の予約一覧４３１ａより、ユーザーが登録した予約ジョブを確認するには、ユーザー認証を必要とする構成とすることもできる。
【０１０３】
ユーザー認証は、例えば、操作パネル４０より、ユーザーＩＤ等を入力することにより行う、あるいはＩＣカードにより認証することができる。このユーザー認証情報と、ユーザーが普段使用する携帯端末２の装置名（または機種コード）とを関連付けしておくことで、ユーザー認証後、携帯端末２から登録した予約ジョブを、操作パネル４０の予約一覧４３１ａに表示させることができる。これにより、ユーザーは、自分が登録した予約ジョブを直ぐに見つけることができるとともに、他のユーザーにより誤って予約ジョブが実行されてしまうのを防止することができる。
【０１０４】
（１２）上記実施の形態では、携帯端末２から実行条件の設定を行い、ＭＦＰ側の操作パネルから実行指示するジョブとして、原稿をセットして実行するコピー、スキャン、ファックスを例示したが、これに限定するものではない。
例えば、機密保持性の高い印刷物を印刷する際、他のユーザーに印刷物を見られることがないよう、携帯端末２から印刷ジョブを発行した後、ＭＦＰの操作パネルから、当該印刷ジョブを読み出して実行させる、いわゆるプルプリントする場合にも、本発明を適用することができ、それにより、操作パネルよりプリントジョブの設定内容の確認、または変更する際の操作性を向上させることができる。
【０１０５】
（１３）上記の実施の形態では、携帯端末２側の実行条件設定画面２２２、および操作パネル４０側の予約ジョブ設定表示画面４３２において、実行条件のアイコンが横一列に並べられる構成を示したが、これに限らず、縦一列、または縦横のマトリックス状に並べられた構成としても構わない。
（１４）上記の実施の形態では、ＭＦＰにおいて、予約ジョブの設定内容を、携帯端末２の実行条件設定画面２２２の画面レイアウトに合わせた予約ジョブ設定表示画面４３２に表示する構成のみ説明したが、これに限定するものではない。
【０１０６】
例えば、図２２に示すように、ＭＦＰの操作パネル４０（液晶表示部４２）に、通常画面に切り替える切替ボタン４３３を表示し、ユーザーより切替ボタン４３３がタップされた場合、本来、操作パネル４０から、コピー、スキャン、ファックス等のジョブの実行条件を設定するときの画面（通常画面）に切り替え、予約ジョブの設定内容を表示するように構成しても構わない。
【０１０７】
（１５）上記実施の形態では、携帯端末２より、まず、予約登録先となるＭＦＰを、ＭＦＰ選択画面２２１から選択した後、選択したＭＦＰの設定可能なジョブの実行条件に基づいて実行条件設定画面２２２を生成し、ジョブの実行条件の設定入力を受け付ける構成を示したが、これに限定するものではない。
例えば、ユーザーが、予約登録先となるＭＦＰを直接選択するのではなく、ジョブの実行条件を設定する過程において、設定された実行条件を全て満たすＭＦＰに限定していき、設定完了時点で残っているＭＦＰがユーザーにより選択されたと判定する構成とすることもできる。
【０１０８】
具体的には、例えば、携帯端末２の制御部２００は、図３（ａ）の予約登録のメニュー画面２２０より画像処理（コピー、スキャン、ファクス等）が選択されると、図３（ｂ）のＭＦＰ選択画面２２１の表示をスキップして、図３（ｃ）に示す実行条件設定画面２２２を表示する。ここでの制御部２００は、上記スキップしたＭＦＰ選択画面２２１における選択ＭＦＰの初期値を、使用可能なＭＦＰ全てとしている。そして、制御部２００は、実行条件設定画面２２２のアイコン領域Ｒ２４に、使用可能なＭＦＰのうち少なくとも１つのＭＦＰにおいて設定可能な実行条件については、ダミーアイコンではなく設定可能なアイコンとして生成し表示する。こうして生成された実行条件設定画面２２２より、ユーザーによる設定入力を受付け、実行条件が設定される毎に、制御部２００は、選択ＭＦＰを、設定された実行条件を全て満たすものに限定していく（制御部２００が装置限定手段として機能する）。そして、制御部２００は、ユーザーによる設定入力が完了した時点で残ったＭＦＰをユーザーにより選択されたと判定する。
【０１０９】
この場合、実行条件設定画面２２２の選択装置表示領域Ｒ２２に表示する装置名を、実行条件の設定毎に更新するのが望ましい。
なお、上記説明では、図３（ａ）の予約登録のメニュー画面２２０の後、ＭＦＰ選択画面２２１をスキップして、図３（ｃ）の実行条件設定画面２２２を表示する構成を示したが、ＭＦＰ選択画面２２１をスキップせずに、使用可能なＭＦＰの全てが選択された状態で表示しても構わない。この場合、ユーザーは、ＭＦＰの全てが選択された状態でよければ、そのまま決定ボタンＢ１をタップして、実行条件設定画面２２２に進めば良いが、選択しないことが明らかなＭＦＰが含まれている場合、当該ＭＦＰを示すアイコンをタップして選択を解除できるよう構成しても構わない。
【０１１０】
（１６）上記実施の形態では、画像処理装置として、カラー複合機およびモノクロ複合機を用いて説明したが、本発明の適用範囲は、これに限らず、カラースキャナー、モノクロスキャナー、ファクシミリ装置などに適用することができる。
（１７）上記実施の形態では、携帯情報端末として、タブレット型のパーソナルコンピューターを用いて説明したが、本発明の適用範囲は、これに限らず、スマートフォンなどの多機能携帯電話や、ＰＤＡなどに適用することができる。
【０１１１】
上記実施の形態および各変形例は可能な限り組み合わせてもよい。
また、上記実施の形態及び変形例の内容は、可能な限り組み合わせても構わない。
【産業上の利用可能性】
【０１１２】
本発明に係る画像処理システムは、スマートフォンなど小型の携帯情報端末から画像処理装置に予約登録したジョブの実行条件を、画像処理装置側で表示する操作パネルの操作性を向上させる技術として有用である。
【符号の説明】
【０１１３】
１    画像処理システム
２    携帯端末
３    管理サーバー
４    ＬＡＮ（ネットワーク）
１１〜１４  ＭＦＰ
３０    スキャナー部
３１    原稿載置台
４０    操作パネル
４１    ハードキー部
４２    液晶表示部
５０    制御部
２００    制御部
２２１    ＭＦＰ選択画面
２２２    実行条件設定画面
３００    制御部
４３１ａ  予約一覧
４３１ｂ  詳細表示ボタン
４３２    予約ジョブ設定表示画面
【図１】
0005983635.tif 000002
【図２】
0005983635.tif 000003
【図３】
0005983635.tif 000004
【図４】
0005983635.tif 000005
【図５】
0005983635.tif 000006
【図６】
0005983635.tif 000007
【図７】
0005983635.tif 000008
【図８】
0005983635.tif 000009
【図９】
0005983635.tif 000010
【図１０】
0005983635.tif 000011
【図１１】
0005983635.tif 000012
【図１２】
0005983635.tif 000013
【図１３】
0005983635.tif 000014
【図１４】
0005983635.tif 000015
【図１５】
0005983635.tif 000016
【図１６】
0005983635.tif 000017
【図１７】
0005983635.tif 000018
【図１８】
0005983635.tif 000019
【図１９】
0005983635.tif 000020
【図２０】
0005983635.tif 000021
【図２１】
0005983635.tif 000022
【図２２】
0005983635.tif 000023